(57)【要約】【課題】発熱による劣化に従って変化する発熱抵抗体の発生熱量を、所定の発生熱量に近付けるように調整するサーマルプリントヘッド及びプリンタを提供すること。【解決手段】通電による発熱で記録媒体に画像を形成させる発熱手段と、発熱手段の通電時間をストローブ信号のオン時間で制御する制御手段とを備えたサーマルプリントヘッドにおいて、ラッチ信号のパルス数をカウントするカウント部６１と、このカウント数に対応する延長時間を設定する延長時間設定部６２と、設定された延長時間に基づいてストローブ信号のオン時間を延長する調整部６４とを備えた調整手段６を設けた。【選択図】図３
2009045818.tif 000002
【特許請求の範囲】
【請求項１】
発熱することにより記録媒体に画像を形成させる発熱手段と、上記発熱手段の発熱量を制御する制御手段とを備えたサーマルプリントヘッドであって、
上記発熱手段の使用状態量を検出する検出手段と、
上記検出手段により検出された使用状態量に応じて、上記発熱手段の発熱量が初期状態のときの発熱量に近付くように、上記制御手段による制御を変更する変更手段と、
を備えたことを特徴とするサーマルプリントヘッド。
【請求項２】
上記発熱手段は、通電により発熱し、
上記制御手段は、通電する時間によって制御を行い、
上記変更手段は、通電する時間を変更する
ことを特徴とする、請求項１に記載のサーマルプリントヘッド。
【請求項３】
上記発熱手段は、通電により発熱し、
上記制御手段は、通電する時間によって制御を行い、
上記変更手段は、上記発熱手段に印加する電圧を変更する
ことを特徴とする、請求項１に記載のサーマルプリントヘッド。
【請求項４】
上記検出手段は、上記発熱手段の発熱回数を積算し、積算された発熱回数を上記使用状態量として検出することを特徴とする、請求項１〜３のいずれかに記載のサーマルプリントヘッド。
【請求項５】
上記検出手段は、上記発熱手段の発熱時間を積算し、積算された発熱時間を上記使用状態量として検出することを特徴とする、請求項１〜３のいずれかに記載のサーマルプリントヘッド。
【請求項６】
所定周期のタイミング信号が入力されるタイミング信号入力手段と、
上記発熱手段に通電する時間に応じてオン時間の長さを設定したパルス信号である第１の制御信号が入力される制御信号入力手段と、
を更に備え、
上記発熱手段は、通電により発熱し、
上記検出手段は、上記タイミング信号のパルス数を積算して、積算されたパルス数を上記使用状態量として検出し、
上記変更手段は、上記第１の制御信号のオン時間を変更し、
上記制御手段は、上記変更手段により変更された第１の制御信号と上記タイミング信号とから生成された第２の制御信号に基づいて、上記発熱手段に通電して制御を行う、
ことを特徴とする、請求項１に記載のサーマルプリントヘッド。
【請求項７】
上記検出手段により検出された使用状態量に応じて、報知手段により報知を行う報知制御手段を更に備えたことを特徴とする、請求項１〜６のいずれかに記載のサーマルプリントヘッド。
【請求項８】
発熱することにより記録媒体に画像を形成させる発熱手段と、上記発熱手段の発熱量を制御する制御手段とを備えたプリンタであって、
上記発熱手段の使用状態量を検出する検出手段と、
上記検出手段により検出された使用状態量に応じて、上記発熱手段の発熱量が初期状態のときの発熱量に近付くように、上記制御手段による制御を変更する変更手段と、
を備えたことを特徴とするプリンタ。
【請求項９】
上記発熱手段は、通電により発熱し、
上記制御手段は、通電する時間によって制御を行い、
上記変更手段は、通電する時間を変更する
ことを特徴とする、請求項８に記載のプリンタ。
【請求項１０】
上記発熱手段は、通電により発熱し、
上記制御手段は、通電する時間によって制御を行い、
上記変更手段は、上記発熱手段に印加する電圧を変更する
ことを特徴とする、請求項８に記載のプリンタ。
【請求項１１】
上記検出手段は、上記発熱手段の発熱回数を積算し、積算された発熱回数を上記使用状態量として検出することを特徴とする、請求項８〜１０のいずれかに記載のプリンタ。
【請求項１２】
上記検出手段は、上記発熱手段の発熱時間を積算し、積算された発熱時間を上記使用状態量として検出することを特徴とする、請求項８〜１０のいずれかに記載のプリンタ。
【請求項１３】
所定周期のタイミング信号が入力されるタイミング信号入力手段と、
上記発熱手段に通電する時間に応じてオン時間の長さを設定したパルス信号である第１の制御信号が入力される制御信号入力手段と、
を更に備え、
上記発熱手段は、通電により発熱し、
上記検出手段は、上記タイミング信号のパルス数を積算して、積算されたパルス数を上記使用状態量として検出し、
上記変更手段は、上記第１の制御信号のオン時間を変更し、
上記制御手段は、上記変更手段により変更された第１の制御信号と上記タイミング信号とから生成された第２の制御信号に基づいて、上記発熱手段に通電して制御を行う、
ことを特徴とする、請求項８に記載のプリンタ。
【請求項１４】
上記検出手段により検出された使用状態量に応じて報知を行う報知手段を更に備えたことを特徴とする、請求項８〜１３のいずれかに記載のプリンタ。
【発明の詳細な説明】
【技術分野】
【０００１】
本発明は、発熱素子により記録媒体に画像を形成させるサーマルプリントヘッド及びプリンタに関する。
【背景技術】
【０００２】
従来から、感熱紙等の記録媒体や熱転写インクリボンに対して、選択的に熱を付与して、必要な画像を形成するサーマルプリントヘッドがある。
【０００３】
このサーマルプリントヘッドは、通電された発熱抵抗体が発熱することを利用している。感熱紙は、所定の熱量を与えられて所定の温度を超えたときに発色し、その色の濃度は与えられた熱量に応じたものとなる。サーマルプリントヘッドは、通電する発熱抵抗体を選択し、通電された発熱抵抗体に発生させる熱量を所定の熱量に調整することにより、感熱紙に所定の濃度の画像を形成する。
【０００４】
ここで、発熱抵抗体の電気抵抗値をＲ、印加される電圧値をＶ、通電される時間をΔＴとすると、発熱抵抗体に発生する熱量ＪはＪ＝Ｖ2・ΔＴ／Ｒとなる。通常、発熱抵抗体の電気抵抗値Ｒと印加される電圧値Ｖとは固定されている。したがって、サーマルプリントヘッドは、通電する時間ΔＴを調整することで、各発熱抵抗体に発生させる熱量を調整して、画像の濃度を調整する。通電する時間ΔＴは、サーマルプリントヘッドが記録媒体に所定の濃度を発色させられるように、予め所定の時間に設定されている。
【０００５】
【特許文献１】特開平１０‐１００４６１号公報
【発明の開示】
【発明が解決しようとする課題】
【０００６】
しかしながら、発熱抵抗体の電気抵抗値Ｒは、発熱による劣化のために、通電回数や通電時間に応じて変化する。電気抵抗値Ｒが変化すると発生する熱量Ｊも変化する。例えば、発熱抵抗体が発熱による劣化で電気抵抗値が高くなる素材の場合、使用するに従って電気抵抗値Ｒは増加していき、発生する熱量Ｊは減少していく。そうすると、記録媒体に形成される画像の濃度が薄くなってしまうという問題があった。
【０００７】
本発明は上記した事情のもとで考え出されたものであって、発熱による劣化に従って変化する発熱抵抗体の発生熱量を、所定の発生熱量に近付けるように調整するサーマルプリントヘッド及びプリンタを提供することをその目的としている。
【課題を解決するための手段】
【０００８】
上記課題を解決するため、本発明では、次の技術的手段を講じている。
【０００９】
本発明の第１の側面によって提供されるサーマルプリントヘッドは、発熱することにより記録媒体に画像を形成させる発熱手段と、上記発熱手段の発熱量を制御する制御手段とを備えたサーマルプリントヘッドであって、上記発熱手段の使用状態量を検出する検出手段と、上記検出手段により検出された使用状態量に応じて、上記発熱手段の発熱量が初期状態のときの発熱量に近付くように、上記制御手段による制御を変更する変更手段と、を備えたことを特徴とする。
【００１０】
この構成によると、上記発熱手段の劣化にかかわらず、発熱量を初期状態のときの発熱量に近付けることができるので、記録媒体に形成される画像を適正な濃度に保つことができる。
【００１１】
使用状態量とは、上記発熱手段の発熱による劣化の度合いを推測させる全ての変化量であり、例えば、上記発熱手段の発熱回数の積算回数や発熱時間の積算時間、上記発熱手段の発熱量を制御するための信号のパルス数の積算回数やパルスのオン時間の積算時間、上記発熱手段自体の電気抵抗値などの計測値、サーマルプリントヘッドの稼働時間の積算時間、および、画像が形成された記録媒体の積算枚数などを含む。
【００１２】
本発明の好ましい実施の形態においては、上記発熱手段は、通電により発熱し、上記制御手段は、通電する時間によって制御を行い、上記変更手段は、通電する時間を変更する。
【００１３】
この構成によると、上記発熱手段の劣化度合いに応じて上記発熱手段に通電する時間を変更することで、記録媒体に形成される画像を適正な濃度に保つことができる。
【００１４】
本発明の好ましい実施の形態においては、上記発熱手段は、通電により発熱し、上記制御手段は、通電する時間によって制御を行い、上記変更手段は、上記発熱手段に印加する電圧を変更する。
【００１５】
この構成によると、上記発熱手段の劣化度合いに応じて上記発熱手段に印加する電圧を変更することで、記録媒体に形成される画像を適正な濃度に保つことができる。
【００１６】
本発明の好ましい実施の形態においては、上記検出手段は、上記発熱手段の発熱回数を積算し、積算された発熱回数を上記使用状態量として検出する。
【００１７】
この構成によると、積算された発熱回数により上記発熱手段の劣化度合いを推測し、上記発熱手段の発熱量を調整するので、記録媒体に形成される画像を適正な濃度に保つことができる。
【００１８】
本発明の好ましい実施の形態においては、上記検出手段は、上記発熱手段の発熱時間を積算し、積算された発熱時間を上記使用状態量として検出する。
【００１９】
この構成によると、積算された発熱時間により上記発熱手段の劣化度合いを推測し、上記発熱手段の発熱量を調整するので、記録媒体に形成される画像を適正な濃度に保つことができる。
【００２０】
本発明の好ましい実施の形態においては、所定周期のタイミング信号が入力されるタイミング信号入力手段と、上記発熱手段に通電する時間に応じてオン時間の長さを設定したパルス信号である第１の制御信号が入力される制御信号入力手段と、を更に備え、上記発熱手段は、通電により発熱し、上記検出手段は、上記タイミング信号のパルス数を積算して、積算されたパルス数を上記使用状態量として検出し、上記変更手段は、上記第１の制御信号のオン時間を変更し、上記制御手段は、上記変更手段により変更された第１の制御信号と上記タイミング信号とから生成された第２の制御信号に基づいて、上記発熱手段に通電して制御を行う。
【００２１】
この構成によると、上記タイミング信号の積算パルス数に応じて変更された第１の制御信号のオン時間に基づいて上記発熱手段に通電を行うので、記録媒体に形成される画像を適正な濃度に保つことができる。
【００２２】
本発明の好ましい実施の形態においては、上記検出手段により検出された使用状態量に応じて、報知手段により報知を行う報知制御手段を更に備えた。
【００２３】
この構成によると、上記使用状態量が所定の値になったときに上記サーマルプリントヘッドを交換する旨を報知するようにすることにより、使用者に適正な交換時期を知らせることができる。
【００２４】
本発明の第２の側面によって提供されるプリンタは、発熱することにより記録媒体に画像を形成させる発熱手段と、上記発熱手段の発熱量を制御する制御手段とを備えたプリンタであって、上記発熱手段の使用状態量を検出する検出手段と、上記検出手段により検出された使用状態量に応じて、上記発熱手段の発熱量が初期状態のときの発熱量に近付くように、上記制御手段による制御を変更する変更手段と、を備えたことを特徴とする。
【００２５】
本発明の好ましい実施の形態においては、上記発熱手段は、通電により発熱し、上記制御手段は、通電する時間によって制御を行い、上記変更手段は、通電する時間を変更する。
【００２６】
本発明の好ましい実施の形態においては、上記発熱手段は、通電により発熱し、上記制御手段は、通電する時間によって制御を行い、上記変更手段は、上記発熱手段に印加する電圧を変更する。
【００２７】
本発明の好ましい実施の形態においては、上記検出手段は、上記発熱手段の発熱回数を積算し、積算された発熱回数を上記使用状態量として検出する。
【００２８】
本発明の好ましい実施の形態においては、上記検出手段は、上記発熱手段の発熱時間を積算し、積算された発熱時間を上記使用状態量として検出する。
【００２９】
本発明の好ましい実施の形態においては、所定周期のタイミング信号が入力されるタイミング信号入力手段と、上記発熱手段に通電する時間に応じてオン時間の長さを設定したパルス信号である第１の制御信号が入力される制御信号入力手段と、を更に備え、上記発熱手段は、通電により発熱し、上記検出手段は、上記タイミング信号のパルス数を積算して、積算されたパルス数を上記使用状態量として検出し、上記変更手段は、上記第１の制御信号のオン時間を変更し、上記制御手段は、上記変更手段により変更された第１の制御信号と上記タイミング信号とから生成された第２の制御信号に基づいて、上記発熱手段に通電して制御を行う。
【００３０】
本発明の好ましい実施の形態においては、上記検出手段により検出された使用状態量に応じて報知を行う報知手段を更に備えた。
【００３１】
本発明のその他の特徴および利点は、添付図面を参照して以下に行う詳細な説明によって、より明らかとなろう。
【発明を実施するための最良の形態】
【００３２】
以下、本発明の好ましい実施の形態を、図面を参照して具体的に説明する。
【００３３】
サーマルプリントヘッドは、外部の例えばプリンタの制御部から入力される画像信号に基づいて、記録媒体に画像を形成するものである。図１および図２は、本発明に係るサーマルプリントヘッドの実施形態を示している。このサーマルプリントヘッド１は、基板２、発熱抵抗体３、ドライバＩＣ４、コネクタ５、調整ＩＣ６、共通電極配線７、コモンパターン８、個別電極パターン９を備えている。図１は、簡略化のため、１つのドライバＩＣ４で発熱抵抗体３全体を制御する場合を示している。図２は、発熱抵抗体３の一部を拡大して示している。
【００３４】
発熱抵抗体３は、基板２の上面の一方の長辺寄りに（図１においては、上方に）、長手方向に延びる帯状に形成されている。発熱抵抗体３は、図示しない保護膜によって覆われている。ドライバＩＣ４は、基板２の上面の他方の長辺寄りの長手方向中央付近に配置されている。コネクタ５は、基板２の他方の長辺の端面の一方端部に配置されている。調整ＩＣ６は、基板２の上面の他方の長辺寄りの、ドライバＩＣ４とコネクタ５との間に配置されている。
【００３５】
コネクタ５には、サーマルプリントヘッド１の外部から各種信号および電源を伝送するための図示しないケーブルが接続される。各種信号には、画像信号、ラッチ信号、および、ストローブ信号が含まれる。ラッチ信号は、シリアル入力された画像信号を画像の一列分ずつパラレル出力するために用いられる。ストローブ信号は、通電時間を制御するために用いられる。
【００３６】
図２に示すように、共通電極配線７は、基板２の上面の一方の長辺と発熱抵抗体３との間に、発熱抵抗体３に平行する帯状に形成されている。コモンパターン８は、共通電極配線７から発熱抵抗体３の下層に潜り込むように、櫛歯状に形成されている。個別電極パターン９は、発熱抵抗体３の下層に潜り込むように、各コモンパターン８の間の領域に、櫛歯状に形成されている。図示しないが、各個別電極パターン９の基端部は、ドライバＩＣ４の付近まで延ばされており、ドライバＩＣ４の対応する出力パッドにワイヤボンディングにより結線されている。発熱抵抗体３は、コモンパターン８によって、複数の発熱素子に分けられている。各発熱素子は、２つのコモンパターン８の間の個別電極パターン９が通電することにより発熱する。
【００３７】
ドライバＩＣ４は、入力される画像信号に基づいて、通電する出力パッドを選択する。以下、具体的に説明する。画像信号はケーブルを介して外部からシリアル入力される。このシリアル入力された画像信号は、出力される画像の一列分だけ、図示しないシフトレジスタに格納される。シフトレジスタの各出力端は、画像信号の各ビットに応じてハイレベル又はローレベルになる。
【００３８】
ここで、ラッチ信号がハイレベルになると、シフトレジスタの出力端の信号が図示しないラッチ回路の対応する入力端に入力される。これにより、ラッチ回路の出力端は、画像信号の各ビットに応じてハイレベル又はローレベルになる。ラッチ回路の各出力端はドライバＩＣ４の出力パッドと対応している。したがって、ラッチ回路のハイレベルとなっている出力端に対応する出力パッドが選択されたことになる。
【００３９】
ドライバＩＣ４は、選択された出力パッドを所定の時間通電する。以下、具体的に説明する。ラッチ回路の各出力端からの出力信号とストローブ信号との論理積が、対応する出力パッドを通電するためのスイッチへの出力となっている。したがって、ラッチ回路のハイレベルとなっている出力端に対応する出力パッドが、ストローブ信号がハイレベルとなっている間だけ通電される。ストローブ信号がハイレベルとなっているオン時間が通電時間となる。
【００４０】
調整ＩＣ６は、ケーブルを介して入力される各種信号を調整して、ドライバＩＣ４へ出力する。具体的には、入力されるラッチ信号のパルス数をカウントして、カウント数に応じてストローブ信号のオン時間を変更する。本実施形態では、発熱抵抗体３として発熱による劣化で電気抵抗値が高くなる素材を用いているので、ストローブ信号のオン時間はカウント数に応じて延長される。
【００４１】
調整ＩＣ６のストローブ信号オン時間調整機能を、図３に示す機能ブロック図を参照して説明する。調整ＩＣ６は、機能ブロックとして、カウント部６１、延長時間設定部６２、記憶部６３、調整部６４、報知制御部６５によって構成されている。
【００４２】
カウント部６１は、外部から入力されるラッチ信号のパルスをカウントする。カウント数は、サーマルプリントヘッド１の製造時に、‘０’に設定されており、以後使用に応じて積算されていく。カウント部６１は、カウント数を延長時間設定部６２および報知制御部６５に出力する。
【００４３】
延長時間設定部６２は、カウント部６１から入力されたカウント数に基づいて、ストローブ信号のオン時間の延長時間を設定する。延長時間設定部６２は、カウント数に対応した延長時間が記憶されている記憶部６３を備えている。延長時間設定部６２は、入力されたカウント数から記憶部６３に記憶されている延長時間を設定し、調整部６４に出力する。延長時間は、経験に基づいて、カウント数が所定の数を上回ると所定時間増加するように設定されている。
【００４４】
カウント数に対応した延長時間が演算により求められるのであれば、延長時間設定部６２は、記憶部６３を備える代わりに、カウント部６１より入力されるカウント数から延長時間を演算して出力するようにしてもよい。
【００４５】
調整部６４は、外部からストローブ信号を入力され、延長時間設定部６２から延長時間を入力される。調整部６４は、入力されたストローブ信号のオン時間を、入力された延長時間に基づいて延長する。調整部６４は、オン時間を延長された調整ストローブ信号を出力する。
【００４６】
報知制御部６５は、カウント部６１から入力されたカウント数が所定の値になった場合に、報知信号を出力する。報知信号は、コネクタ５を介してプリンタ本体の制御部に入力される。
【００４７】
次に、サーマルプリントヘッド１の動作について、図４のタイミングチャートを参照して説明する。
【００４８】
コネクタ５を介して外部から入力される画像信号とラッチ信号とが、ドライバＩＣ４に入力される。画像の一列分の画像信号が入力されると、ラッチ信号がオンになる。このタイミングで、ドライバＩＣ４は、画像の一列分の信号に基づいて、通電する出力パッドを選択する。ドライバＩＣ４は、調整ＩＣ６から入力される調整ストローブ信号がオンである間、選択された出力パッドを通電させる。これにより、選択された出力パッドに接続されている個別電極パターン９が、調整ストローブ信号のオン時間だけ通電される。通電された個別電極パターン９の両隣のコモンパターン８の間に位置する発熱素子は、この通電により発熱する。発熱素子が発する熱により、記録媒体は発色される。これにより、記録媒体に一列分の画像が形成される。
【００４９】
次に、サーマルプリントヘッド１の作用について説明する。
【００５０】
本実施形態のサーマルプリントヘッド１においては、調整ＩＣ６でラッチ信号のパルス数をカウントして、そのカウント数に応じてストローブ信号のオン時間を延長し、調整ストローブ信号としてドライバＩＣ４に入力している（図４参照）。したがって、発熱による劣化で発熱抵抗体３の電気抵抗値が高くなっていても、それに応じて通電時間が延長されているので、発熱量が減少しない。これにより、記録媒体に形成される画像の濃度が薄くなって画像が不鮮明になることを抑制することができる。
【００５１】
また、本実施形態のサーマルプリントヘッド１においては、ラッチ信号のパルスのカウント数が所定の値となったとき、調整ＩＣ６が報知信号を出力する。報知信号は、コネクタ５を介してプリンタ本体の制御部に入力される。これにより、プリンタ本体に設けられている報知手段からサーマルプリントヘッド１の交換時期である旨が報知される。この報知の方法は、プリンタに設けられている表示ランプを点灯あるいは点滅させることでもよいし、スピーカからの音声や表示画面への表示で行ってもよい。この交換時期は、発熱回数による発熱抵抗体３の劣化度合いに基づくものとなるので、プリント枚数に基づく場合より適正なものとなる。したがって、使用者はサーマルプリントヘッド１の適正な交換時期を知ることができる。
【００５２】
本実施形態では、発熱による劣化で電気抵抗値が高くなる発熱抵抗体３を用いた場合を説明したが、逆に電気抵抗値が低くなる発熱抵抗体を用いてもよい。その場合は、ラッチ信号のパルスのカウント数に応じてストローブ信号のオン時間を短縮する構成とすればよい。
【００５３】
本実施形態では、発熱抵抗体３の発熱による劣化の度合いをラッチ信号のパルスのカウント数により推定したが、これに限られない。例えば、ストローブ信号のパルスのカウント数や、オン時間の積算時間により推定してもよい。
【００５４】
本実施形態では、通電する時間ΔＴを調整することで発熱抵抗体３に発生する熱量Ｊを調整しているが、印加される電圧値Ｖを調整することで熱量Ｊを調整する構成としてもよい。
【００５５】
本実施形態では、サーマルプリントヘッド１に設けられた調整ＩＣ６でストローブ信号のオン時間を調整する構成としたが、ストローブ信号のオン時間の調整をサーマルプリントヘッドに入力する前に行う構成としてもよい。その場合は、プリンタ本体の制御部などに上述するカウント部６１、延長時間設定部６２、記憶部６３、調整部６４を設け、当該制御部でオン時間を調整したストローブ信号を出力するように構成すればよい。この場合でも、発熱抵抗体３の発熱による劣化の度合いを、ストローブ信号のパルスのカウント数や、オン時間の積算時間により推定してもよい。また、発熱抵抗体３に印加される電圧値Ｖを調整する信号をサーマルプリントヘッドに入力し、この信号に基づいて発熱抵抗体３が発する熱量Ｊを調整する構成としてもよい。
【００５６】
なお、本発明は、発熱素子毎に通電時間を制御するサーマルプリントヘッドにおいても適用することができる。この場合、発熱素子毎にその通電時間を積算して劣化度合いを推定し、この推定された劣化度合いに応じて発熱素子毎に通電時間を調整することができる。また、このサーマルプリントヘッドにおいて、発熱素子毎の電気抵抗値を測定するようにすれば、より直接的に、所定の熱量を発するために通電時間を調整することができる。
【００５７】
本発明に係るサーマルプリントヘッド及びプリンタは、上述した実施形態に限定されるものではない。本発明に係るサーマルプリントヘッド及びプリンタの各部の具体的な構成は、種々に設計変更自在である。
【図面の簡単な説明】
【００５８】
【図１】本発明に係るサーマルプリントヘッドの実施の形態を示す概略平面図である。
【図２】図１に示すサーマルプリントヘッドの発熱抵抗体の一部の拡大平面図である。
【図３】調整ＩＣを説明するための機能ブロック図である。
【図４】サーマルプリントヘッドの動作を説明するためのタイミングチャートである。
【符号の説明】
【００５９】
１  サーマルプリントヘッド
２  基板
３  発熱抵抗体
４  ドライバＩＣ
５  コネクタ
６  調整ＩＣ
６１  カウント部
６２  延長時間設定部
６３  記憶部
６４  調整部
６５  報知制御部
７  共通電極配線
８  コモンパターン
９  個別電極パターン
【図１】
2009045818.tif 000003
【図２】
2009045818.tif 000004
【図３】
2009045818.tif 000005
【図４】
2009045818.tif 000006